(57)【要約】【課題】構成の簡略化を図ることができるディスク収納体および電子機器を提供すること。【解決手段】記録媒体としてのディスク９０が挿入される開口が形成された筐体を有するディスク収納体は、筐体内に挿入されたディスクを排出するディスク排出機構２８を備える。ディスク排出機構２８は、一端が筐体内部に支持され、他端がディスク９０の挿入とともに移動し、当該端部間の領域がディスク９０の挿入方向先端縁に沿って当接するベルト状の押出部材２８１と、押出部材２８１の他端をディスク９０の挿入方向とは反対方向に付勢する付勢部材２８２と、押出部材２８１の他端を係止して、付勢部材２８２の付勢による前記反対方向への押出部材２８１の移動を規制する係止部材２８３と、係止部材２８３による係止を解除する解除部材とを備えることを特徴とする。【選択図】図７
2007220263.tif 000002
【特許請求の範囲】
【請求項１】
記録媒体としてのディスクが挿入される開口が形成された筐体を有するディスク収納体であって、
前記筐体内に挿入されたディスクを排出するディスク排出機構を備え、
前記ディスク排出機構は、
一端が前記筐体内部に支持され、他端が前記ディスクの挿入とともに移動し、当該端部間の領域が前記ディスクの挿入方向先端縁に沿って当接するベルト状の押出部材と、
前記押出部材の他端を前記ディスクの挿入方向とは反対方向に付勢する付勢部材と、
前記押出部材の他端を係止して、前記付勢部材の付勢による前記反対方向への前記押出部材の移動を規制する係止部材と、
前記係止部材による係止を解除する解除部材とを備えることを特徴とするディスク収納体。
【請求項２】
請求項１に記載のディスク収納体において、
前記筐体は、
当該筐体の所定の面に沿った回動軸を有し、当該回動軸を中心として前記所定の面から突没する方向に回動して、前記開口を開閉する蓋部を備え、
前記蓋部には、当該蓋部の開状態で露出し、前記ディスクを当該蓋部の外面に沿って保持するディスク保持部が設けられ、
前記ディスク保持部には、前記押出部材、前記付勢部材および前記係止部材が設けられていることを特徴とするディスク収納体。
【請求項３】
請求項２に記載のディスク収納体において、
前記押出部材は、前記蓋部が開状態となると、前記ディスク保持部に保持された前記ディスクを、当該ディスク保持部から押し出すことを特徴とするディスク収納体。
【請求項４】
請求項１から請求項３のいずれかに記載のディスク収納体において、
前記ディスクの挿入方向先端縁は、略半円形状に形成されていることを特徴とするディスク収納体。
【請求項５】
記録媒体としてのディスクに対して、情報の記録および当該ディスクに記録された情報の読取のうち少なくともいずれかを行う電子機器であって、
請求項１から請求項４のいずれかに記載のディスク収納体を備えることを特徴とする電子機器。
【請求項６】
請求項５に記載の電子機器において、
前記ディスクは、記録媒体としての略円形状のディスク本体と、当該ディスク本体を収納するカートリッジとを備え、
前記押出部材は、前記カートリッジに当接されることを特徴とする電子機器。
【発明の詳細な説明】
【技術分野】
【０００１】
本発明は、記録媒体としてのディスクが挿入される開口が形成された筐体を有するディスク収納体よび電子機器に関する。
【背景技術】
【０００２】
従来、磁気的または光学的にデータを記録する円盤状のディスクに対して、データの記録および当該ディスクからのデータの読込を行うディスク装置が知られている。このようなディスク装置として、パーソナルコンピュータ（Personal Computer）等に設けられ、ディスクが装着されるディスクトレイが装置本体に対して突没するディスク装置や、装置本体に形成された開口にディスクを挿入すると、当該ディスクを内部に収納するディスク装置が知られている。
【０００３】
近年、ディスク装置は小型化傾向にあり、携帯可能なディスク装置も知られている。このような携帯型のディスク装置として、外装筐体（外筐）に対して開閉する蓋部を備え、当該蓋部にディスクを収納するホルダが設けられたディスク装置（電子機器）が知られている（例えば、特許文献１参照）。
【０００４】
この特許文献１に記載のディスク装置では、蓋部を外装筐体に対して開くと、当該蓋部の内側に設けられたホルダが露出し、当該ホルダへのディスクの挿入が可能となる。このため、ホルダにディスクを挿入した状態で、蓋部を外装筐体に対して閉塞すると、ディスクがホルダごと外装筐体内部に収納される。また、この状態で、蓋部を開放すると、内部に設けられたイジェクトレバーにより、蓋部の回動軸とは反対側のホルダ端部からディスクが突出するように構成されており、これにより、ディスクの取り出しを容易に行うことができる。
【０００５】
【特許文献１】特開２００５−２６７８２８号公報
【発明の開示】
【発明が解決しようとする課題】
【０００６】
しかしながら、一般にイジェクトレバーを用いて収納されたディスクの排出を行うディスク排出機構では、ディスクの形態に応じてイジェクトレバーを配置する必要があるなど、構成が複雑となり、組立工程が煩雑となるという問題がある。特に、挿入方向先端の形状が略半円形状のディスクの場合、イジェクトレバーの配置位置を、ディスクが挿入される領域の略中央に配置しなければならないなど、構成がより複雑になる上、ディスク装置の設計に制約が生じるという問題がある。このため、ディスクの形状に依存せず、構成が簡易なディスク排出機構が望まれてきた。
【０００７】
本発明の目的は、ディスク形状に依存せず、構成の簡略化を図ることができるディスク収納体および電子機器を提供することである。
【課題を解決するための手段】
【０００８】
前記した目的を達成するために、本発明のディスク収納体は、記録媒体としてのディスクが挿入される開口が形成された筐体を有するディスク収納体であって、前記筐体内に挿入されたディスクを排出するディスク排出機構を備え、前記ディスク排出機構は、一端が前記筐体内部に支持され、他端が前記ディスクの挿入とともに移動し、当該端部間の領域が当該ディスクの挿入方向先端縁に沿って当接するベルト状の押出部材と、前記押出部材の他端を前記ディスクの挿入方向とは反対方向に付勢する付勢部材と、前記押出部材の他端を係止して、前記付勢部材の付勢による前記反対方向への前記押出部材の移動を規制する係止部材と、前記係止部材による係止を解除する解除部材とを備えることを特徴とする。
【０００９】
本発明では、ベルト状の押出部材は、一端が筐体内部に固定されており、また、他端がディスク収納体へのディスクの挿入に伴って移動する。そして、これら端部間の領域が、ディスクの挿入方向先端縁に沿って当接する。この押出部材の他端部が、付勢部材から当該ディスクの挿入方向とは反対方向への付勢を受けて、当該反対方向に移動し、ディスクを押し出すことにより、ディスクがディスク収納体から排出される。ここで、押出部材の他端は、係止部材によって係止されるので、付勢部材の付勢による押出部材のディスクの排出を規制することができる。このため、不要にディスクが排出されることを防ぐことができる。また、この係止部材による押出部材の他端の係止は、解除部材により解除することができるので、必要に応じてディスクの排出を行うことができる。
このような本発明によれば、ベルト状の押出部材がディスクの挿入に伴って、当該ディスクの先端縁に沿って当接し、当該押出部材が付勢部材の付勢力を受けてディスクを押し出す構成であるので、前述のイジェクトレバーを用いる場合に比べ、構成を簡略化することができる。
また、押出部材がディスクの挿入方向先端縁に沿って当接するので、ディスク収納体に収納されるディスクの形状に依存せずに、当該ディスクを押し出すことができる。
さらに、押出部材は、ディスクの挿入の際に、当該ディスクの先端縁に沿って当接するので、ディスク収納体に収納されるディスクの形状の自由度を向上することができる。
【００１０】
本発明では、前記筐体は、当該筐体の所定の面に沿った回動軸を有し、当該回動軸を中心として前記所定の面から突没する方向に回動して、前記開口を開閉する蓋部を備え、前記蓋部には、当該蓋部の開状態で露出し、前記ディスクを当該蓋部の外面に沿って保持するディスク保持部が設けられ、前記ディスク保持部には、前記押出部材、前記付勢部材および前記係止部材が設けられていることが好ましい。
【００１１】
本発明によれば、ディスク収納体に対して回動する蓋部に、当該蓋部に沿ってディスクを保持するディスク保持部が設けられている。これによれば、ディスクをディスク保持部に挿入した上で、ディスク収納体に対して蓋部を閉塞することで、ディスクをディスク収納体に収納することができる。従って、ディスク収納体へのディスクの収納を簡単な操作で行うことができる。
また、ディスク保持部に対してディスク排出機構を構成する押出部材、付勢部材および係止部材を設けた上で、当該ディスク保持部を蓋部に対して取り付けることにより、本発明のディスク収納体を構成することができるので、ディスク収納体の構成および組立をより簡略化することができる。
【００１２】
本発明では、前記押出部材は、前記蓋部が開状態となると、前記ディスク保持部に保持された前記ディスクを、当該ディスク保持部から押し出すことが好ましい。
本発明によれば、蓋部が開状態となった際に、ディスク保持部に保持されたディスクを押出部材によって押し出すことができる。これによれば、ディスクが収納されたディスク収納体から当該ディスクを取り出す際には、蓋部を開放する以外の操作を行う必要がない。従って、ディスクの取り出し操作を一層容易に行うことができる。
【００１３】
本発明では、前記ディスクの挿入方向先端縁は、略半円形状に形成されていることが好ましい。
本発明によれば、ディスクの先端縁が半円形状に形成されていることにより、ディスク当接時に押出部材にかかる負荷を低減することができる。ここで、ディスクの先端縁の形状が鋭角な角部を有している場合、当該ディスクが押出部材に当接すると、当該角部において押出部材への負荷が大きくなる。これに対し、押出部材が当接するディスクの先端縁の形状が略半円形状に形成されていることにより、ディスク当接時の押出部材にかかる負荷を分散することができる。従って、押出部材が受ける負荷を低減することができる。
【００１４】
また、本発明の電子機器は、記録媒体としてのディスクに対して、情報の記録および当該ディスクに記録された情報の読取のうち少なくともいずれかを行う電子機器であって、前述のディスク収納体を備えることを特徴とする。
【００１５】
本発明によれば、前述のディスク収納体と同様の効果を奏することができる。
すなわち、ベルト状の押出部材が、ディスクの挿入に伴って当該ディスクの先端縁に沿って当接する。この押出部材は、付勢部材からの当該ディスクの挿入方向とは反対方向の付勢力を受けてディスクを押し出す。一方、ディスクが筐体に収納された場合には、付勢手段の付勢力による押出部材の移動を係止部材が係止するので、不要にディスクが排出されることを防ぐことができ、また、当該係止部材による係止は、解除部材によって解除することができるので、必要に応じてディスクを排出することができる。
これによれば、前述のイジェクトレバーを用いた場合に比べ、電子装置の構造上の設計自由度を向上できるほか、ディスク排出機構の構成を簡略化することができる。また、押出部材がディスクの挿入方向先端縁に沿って当接するので、電子機器によって利用されるディスクの形状の自由度を向上することができる。
【００１６】
また、本発明の電子機器では、前記ディスクは、記録媒体としての略円形状のディスク本体と、当該ディスク本体を収納するカートリッジとを備え、前記押出部材は、前記カートリッジに当接されることが好ましい。
ここで、ディスクからの情報の読出および当該ディスクへの情報の記録の際には、当該ディスクを構成するディスク本体を回転させる必要がある。この際、情報が記録されるディスク本体に押出部材が当接されていると、当該ディスク本体の回転が妨げられるため、情報の記録および読出時には、ディスク本体と押出部材とを離間させる必要がある。
これに対し、本発明では、押出部材がディスクのカートリッジに当接されるので、当該押出部材が干渉して、ディスク本体の回転が妨げられることを防ぐことができる。従って、押出部材がカートリッジに当接されている場合でも、情報の読出および記録を行うことができる。また、ディスク本体と押出部材とが干渉しないため、押出部材がディスク本体から離間するようにディスク装置を構成する必要がなくなる。従って、電子機器の構造的な設計自由度を、さらに向上することができる。
【発明を実施するための最良の形態】
【００１７】
以下、本発明の一実施形態を図面に基づいて説明する。
（１）ディスク装置１の外観構成
図１は、本実施形態のディスク装置１を正面側右上方から見た斜視図である。
本実施形態のディスク装置１は、携帯用のゲーム機として構成された電子機器であり、例えば、ＣＤ（Compact Disc）、ＤＶＤ(Digital Versatile Disc)、ＭＤ（Mini Disc）、Blu-ray Disc（登録商標）等の光ディスクに記録されているゲームプログラム等を読み出して、使用者（ゲームプレーヤ）が操作するキーやスイッチからの指示に応じて、ゲームプログラムを実行したり、光ディスクに記録された音声情報および画像情報を再生したりするものである。なお、ゲームの実行とは、主としてゲームの進行および画像・音声情報の出力等を制御することをいう。
【００１８】
このディスク装置１は、図１に示すように、扁平横長矩形状で、両端部が円弧状に形成されたディスク収納体としての筐体２を有する。
この筐体２の正面側には、中央位置に横長矩形状の液晶パネル３が設けられ、当該液晶パネル３を挟んだ左右両側部分および液晶パネル３の下縁部分に各種キー等が設けられている。
【００１９】
具体的に、液晶パネル３の左側部分（図１における左側部分）には、上下左右を示す４つの方向キー４、アナログデバイス５および２つのＬＥＤ６（６１，６２）が配置されている。
このうち、４つの方向キー４は、当該方向キー４に対応して筐体２内部に設けられた感圧センサと接触可能に設けられ、各キーが入力されると、感圧センサによってキーの入力が検出され、当該キーに応じたデジタル信号が図示しない制御装置に出力される。また、アナログデバイス５は、筐体２に沿って押圧移動可能に構成され、当該デバイス５の移動方向を示すアナログ信号を、図示しない制御装置に出力する。また、２つのＬＥＤ６のうち、上方に配置されたＬＥＤ６１は、筐体２内部に収納されたメモリカード（図示省略）がデータの書込／読出状態にあることを示すＬＥＤであり、下方に配置されたＬＥＤ６２は、当該ディスク装置１の通信状態を示すＬＥＤである。
【００２０】
液晶パネル３の右側部分（図１における右側部分）には、「△」、「○」、「×」、「□」の文字がそれぞれ表記された４つの決定キー７、ＬＥＤ８、および、電源キー（図示省略）がホールド位置にあると色が変わる窓９が配置されている。
このうち、４つの決定キー７は、当該決定キー７に対応して筐体２内部に設けられた図示しない感圧センサと接触可能に設けられており、前述の方向キー４と同様に、感圧センサによってキーの入力が検出され、当該キーに応じたデジタル信号が制御装置に出力される。ＬＥＤ８は、電源のオン／オフ状態を示すものであり、ディスク装置１の電源がオン状態にある場合には緑色点灯し、バッテリ（図示省略）への充電中である場合には橙色点灯する。
【００２１】
液晶パネル３の下側部分（図１における下側部分）には、ゲーム等を中断して初期表示状態に復帰するホームキー１０、音量を増減させる音量キー１１，１２、輝度切替キー１３，ミュートキー１４、セレクトキー１５、スタートキー１６などが配置されている。
このうち、輝度切替キー１３は、液晶パネル３の輝度を切り替えるキーであり、また、ミュートキー１４は、音声をミュートさせるキーである。セレクトキー１５およびスタートキー１６は、ゲームの実行中に操作するキーである。
【００２２】
また、筐体２の四隅部分は内側に切り欠かれ、これらの切り欠きのうち、上側左右隅部には決定キー１７，１８が、下側左隅部にはストラップ掛部材１９がそれぞれ設けられている。
さらに、筐体２の上面の略中央には、外部機器を接続するためのＵＳＢ（Universal Serial Bus）端子２０が設けられており、その左右には、当該ＵＳＢ端子２０に接続される機器を位置決め固定するための位置決め孔２１が形成されている。また、位置決め孔２１を挟んでＵＳＢ端子２０の左側には、他の機器と赤外線通信を行うための受光窓２２が設けられており、同様に、位置決め孔２１を挟んでＵＳＢ端子２０の右側には、後述するディスク収納部２６の蓋部２６Ａを開放するイジェクトスイッチ２３が設けられている。このイジェクトスイッチ２３は、筐体２の上面に沿って移動させることにより、筐体２と、当該筐体２の背面側に設けられた蓋部２６Ａとの係合が解除され、蓋部２６Ａが背面側に向かって開くように構成されている。
【００２３】
図２および図３は、ディスク装置１を背面側左下方から見た斜視図である。このうち、図２は、蓋部２６Ａを閉塞した状態のディスク装置１を示す図であり、図３は、蓋部２６Ａを開放した状態のディスク装置１を示す図である。
筐体２の背面側は、図２および図３に示すように、左右方向に３つの領域に分割され、右側にメモリカード収納部２４、左側にバッテリパック収納部２５が形成され、これらに挟まれるように、中央にディスク収納部２６が形成されている。
メモリカード収納部２４は、開閉可能な蓋部２４Ａを備え、内部にメモリカード（図示省略）を装着できるように構成されている。
バッテリパック収納部２５は、着脱可能な蓋部２５Ａを備え、内部にバッテリパック（図示省略）を収納できるように構成されている。
【００２４】
ディスク収納部２６には、図３に示すように、ディスク９０を収納するための開口２６１が形成され、当該開口２６１を覆う蓋部２６Ａが設けられている。この蓋部２６Ａは、筐体２の下端側（図２および図３における手前側）を回動軸として当該筐体２に対して回動することで、開口２６１の開放および閉塞を行う。このような蓋部２６Ａの内側の面、すなわち、当該蓋部２６Ａのディスク収納部２６に対向する面には、ディスク９０を蓋部２６Ａの内面に沿って保持するディスク保持部２７が設けられている。このようなディスク収納部２６において、蓋部２６Ａを筐体２から開放して、ディスク保持部２７を露出させ、当該ディスク保持部２７にディスク９０を収納した後、蓋部２６Ａを閉塞することにより、ディスク収納部２６にディスク９０が収納される。この状態で、ディスク９０の情報の読込み等が可能となる。
【００２５】
（２）ディスク９０の構成
図４は、ディスク９０を示す平面図である。
ここで、ディスク装置１に収納されるディスク９０の形状について説明する。
ディスク９０は、図４に示すように、ディスク本体９１と、当該ディスク本体９１を内部に収納する合成樹脂製のカートリッジ９２とを備えて構成されている。
ディスク本体９１は、略円盤形状を有する光読取方式の光ディスクであり、略中央には、ディスク装置１の内部に設けられ、ディスク本体９１を回転させるディスクテーブル２９（図６参照）が当接される略円形状の当接部９１１が設けられている。このディスク本体９１には、ゲームプログラム、映画等の種々の画像情報、および音楽等の音声情報等を記録することができるように構成されている。
【００２６】
カートリッジ９２は、平面視略盾型形状を有している。具体的に、カートリッジ９２の外周形状は、略平行な一対の直線部９２１（図４における左右部分）と、それぞれの直線部９２１の一方の同じ側の端部（図４における直線部９２１の下方端部）同士を接続し、それぞれの端部間を直径とする略半円形状の半円状部９２２（図４における下側部分）と、この半円状部９２２の直径の中心から半円状部９２２の端縁略中央を通る直線上で、かつ、半円状部９２２の外側にある一点を中心として円弧状に形成され、一対の直線部分の他方の端部同士を連結する円弧状部９２３（図４における上側部分）とが形成されている。また、カートリッジ９２の中央には、前述のディスクテーブル２９（図６参照）がディスク本体９１の当接部９１１に当接するための略円形状の開口９２４が形成されており、当該開口９２４には、当接部９１１が露出している。
【００２７】
このカートリッジ９２の底面（図４で図示している面）には、ディスク本体９１を部分的に露出させる略矩形の開口９２５が形成されている。この開口９２５は、ディスク９０をディスク収納部２６に収納し、蓋部２４Ａを閉塞した際に、ディスク本体９１から情報を読み取るディスク装置１のピックアップ（図示省略）に対応する位置に形成されており、この開口９２５の領域において、ディスク本体９１が露出している。そして、この開口９２５を介して、ピックアップにより、ディスク本体９１に記録された情報を光学的に読み取ることができる。
【００２８】
（３）ディスク装置１の内部構成
（3-1）ディスク保持部２７の構成
図５は、ディスク保持部２７の構成を示す模式図である。なお、図５は、ディスク保持部２７を正面側から見た図である。
ディスク保持部２７は、ディスク９０を覆うように断面視略矩形状の筒型形状に形成され、正面部２７１、側面部２７２および背面部２７３を備えている。このディスク保持部２７に、正面部２７１、側面部２７２および背面部２７３によって形成され、ディスク保持部２７の上方に位置する開口２７４からディスク９０が挿入される。
【００２９】
正面部２７１は、ディスク９０がディスク保持部２７に保持される際に、ディスク９０が正面側に傾くことを防ぐものであり、同時に、ディスク９０の挿入を案内するための部分である。この正面部２７１は、図５に示すように、上方左右に配置される一対の板状体２７１１，２７１２から構成されている。
このうち、正面右側（図５における右側）には、略矩形状の板状体２７１１が配置されている。この板状体２７１１が配置される側には、ディスク保持部２７にディスク９０が保持された際に、ディスク９０のカートリッジ９２に形成された開口９２５が位置するため、当該板状体２７１１は、当該開口９２５の開口領域を遮蔽しない程度の大きさに形成されている。また、正面左側（図３における左側）に配置された板状体２７１２は、ディスク９０の姿勢を維持するために、当該ディスク９０との接触面積を大きくするように板状体２７１１より大きく形成されている。
【００３０】
側面部２７２は、前述の正面部２７１と同様に、ディスク９０の姿勢を保持するとともに、当該ディスク９０の挿入を案内するための部分であり、対向する一対の板状体２７２１，２７２２から構成されている。これら板状体２７２１，２７２２は、それぞれ板状体２７１１の右側端縁、および、板状体２７１２の左側端縁と接続され、ディスク保持部２７の下端まで延出している。このうち、板状体２７２２の外面側には、後述するディスク排出機構２８を構成するばね２８２および係止部材２８３等が設けられる。
【００３１】
背面部２７３は、１つの矩形状を有する板状体で形成され、蓋部２６Ａ（図２参照）の内側の面に取り付けられる。この背面部２７３の略中央には、軽量化のための開口２７３１が形成されている。また、背面部２７３の右端には、後述するディスク排出機構２８を構成する押出部材２８１の一端が固定される突起２７３２が設けられている。さらに、背面部２７３の左端には、同じく押出部材２８１の他端が取り付けられ、上下方向に移動自在な突起２７３３が設けられ、当該突起２７３３の移動を案内するガイド２７３４が形成されている。このうち、突起２７３３は、ディスク排出機構２８を構成するばね２８２と、連結部材２８４を介して接続されている。
【００３２】
（3-2）ディスク排出機構２８の構成
ディスク排出機構２８は、ディスク保持部２７に挿入保持されたディスク９０を排出するものである。詳述すると、ディスク排出機構２８は、蓋部２６Ａが開放されると、ディスク保持部２７に保持されていたディスク９０を排出する。このディスク排出機構２８は、押出部材２８１と、付勢部材としてのばね２８２と、係止部材２８３と、連結部材２８４と、ばね収納部２８５と、解除部材２８６（図６参照）とを備えて構成されている。
【００３３】
押出部材２８１は、ベルト状の可撓性を有する合成樹脂で形成されている。この押出部材２８１の一端は突起２７３２に取り付けられ、他端は突起２７３３に取り付けられている。そして、押出部材２８１には、ディスク９０がディスク保持部２７に挿入されると、当該ディスク９０を構成するカートリッジ９２の半円状部９２２が当接し、当該押出部材２８１は、半円状部９２２に倣うように撓んで密着する。そして、ディスク９０の挿入にしたがって押出部材２８１は下方に押し込まれ、突起２７３３を下方に押し下げる。
【００３４】
ばね２８２は、本発明の付勢部材に相当し、板状体２７２２の外側に設けられたばね収納部２８５の内部に配置されている。このばね２８２は、引張ばねで構成され、当該ばね２８２の一端（図５における上方側の端部）は、ばね収納部２８５内に固定されている。また、ばね２８２の他端（図５における下方側の端部）は、連結部材２８４に設けられた棒状部２８４１に固定されている。
【００３５】
連結部材２８４は、ばね２８２と、押出部材２８１を固定する突起２７３３とを連結する部材である。この連結部材２８４は、２つの棒状部２８４１，２８４２と、当該棒状部２８４１，２８４２を連結する連結部２８４３と、棒状部２８４２と突起２７３３とを連結する連結部２８４４とを備えて構成されている。
【００３６】
このうち、ばね２８２寄りに設けられた棒状部２８４１は、ばね２８２の一端と固定されている。また、ばね２８２から離間する側に設けられた棒状部２８４２は、後述する係止部材２８３と係合し、ばね２８２の引張方向の付勢力による突起２７３３および押出部材２８１の図３における上方への移動を係止する。これら棒状部２８４１，２８４２は、ばね２８２の引張方向に対して略垂直な方向で、かつ、板状部２７２２に沿った方向（図５の面に対して垂直な方向）に延出するように、互いに平行に設けられている。
【００３７】
さらに、連結部２８４３は、棒状部２８４１，２８４２間の距離が、後述する係止部材２８３の上下方向の寸法（図３における上下方向の寸法）より広くなるように、それぞれを連結する。また、連結部２８４４は、弾性部材で構成され、突起２７３３が下方に移動した際に、多少の伸縮が可能な程度の弾性を有する。
このような連結部材２８４により、ばね２８２の引張方向の付勢力が突起２７３３を介して押出部材２８１に伝達され、当該押出部材２８１は、通常、上方に付勢されている。
【００３８】
係止部材２８３は、ばね２８２の伸張方向の延長線上で、板状体２７２２の外側の面から突出するように設けられている。この係止部材２８３は、板状体２７２２の下方に向かうにしたがって突出量が大きくなるように形成されている。この係止部材２８３は、ばね２８２の付勢力による押出部材２８１の上方への移動を係止する。
具体的に、係止部材２８３は、ディスク９０がディスク収納部２６に挿入され、押出部材２８１が下方に押し下げられると、当該押出部材２８１の下方への移動力が、突起２７３３および連結部材２８４を介してばね２８２に伝わり、ばね２８２が伸張する。この際、ばね２８２の引張方向の付勢力が生じるが、ディスク９０がディスク保持部２７の下端に達すると、突起２７３３に連結部２８４４を介して連結された連結部材２８４の棒状部２８４２が、係止部材２８３の下端に嵌まり込むため、押出部材２８１の上方への移動が係止される。
【００３９】
図６は、ディスク収納部２６の断面を模式的に示す図である。
解除部材２８６は、係止部材２８３による押出部材２８１の移動の係止を解除するものであり、図６に示すように、ディスク収納部２６の底面から起立するように設けられている。具体的に、解除部材２８６は、詳しい図示を省略したが、蓋部２６Ａの閉塞時に、係止部材２８３の下端（図６における左端）に対応する位置に設けられている。この解除部材２８６の係止部材２８３に対向する面は、先端に向かうにしたがって、厚さ方向の寸法が薄くなるように傾斜して形成されている。
【００４０】
この解除部材２８６は、係止部材２８３の下端に嵌め込まれた連結部材２８４の棒状部２８４２を、板状体２７２２から離間するように移動させて、当該棒状部２８４２と係止部材２８３との係合を解除する。
具体的に、蓋部２６Ａが閉じられる過程で、板状体２７２２と連結部材２８４の棒状部２８４２との間に、解除部材２８６の先端が入り込む。そして、解除部材２８６は、蓋部２６Ａが閉塞されるにしたがって、板状体２７２２と棒状部２８４２とを離間させる。ここで、板状体２７２２と棒状部２８４２との距離が、係止部材２８３の板状体２７２２からの突出量以上になると、棒状部２８４２と係止部材２８３との係合が解除され、ばね２８２による付勢力により、連結部材２８４は、板状体２７２２に沿って上方（図６における右方向）に引っ張られる。この際、連結部材２８４の連結部２８４４により接続された突起２７３３を介して、押出部材２８１が上方に引かれ、ディスク保持部２７に収納されたディスク９０を、当該ディスク９０の挿入方向とは反対方向に押し出す。
【００４１】
ここで、押出部材２８１は、蓋部２６Ａの閉塞時に、ばね２８２の付勢力を受けてディスク９０を押し出そうとするが、解除部材２８６による係止部材２８３と連結部材２８４の棒状部２８４２との係合の解除が、蓋部２６Ａが十分に閉じられた状態となってから行われるため、ディスク９０は、ディスク収納部２６の開口２６１により抑えられ、ディスク保持部２７から飛び出すことはない。
一方、イジェクトスイッチ２３の操作により、蓋部２６Ａと筐体２との係合が解除され、当該蓋部２６Ａが開放されると、ばね２８２の付勢力により、押出部材２８１がディスク９０を、ディスク保持部２７から排出する。
【００４２】
（４）ディスク排出機構２８の動作
図７は、ディスク９０がディスク保持部２７に収納された状態を示す図であり、図８は、ディスク９０がディスク排出機構２８によって排出された状態を示す図である。なお、図７および図８においては、ディスク９０は外形形状のみを示す。
以下に、ディスク９０がディスク保持部２７に収納され、当該ディスク９０が蓋部２６Ａの開放に伴って排出される際のディスク排出機構２８の動作について説明する。
ディスク９０がディスク保持部２７に挿入されると、前述のように、ディスク９０のカートリッジ９２に形成された半円状部９２２が、押出部材２８１に当接する。そして、押出部材２８１は、ディスク９０が挿入されるにしたがって、ディスク９０の半円状部９２２に倣うように撓み、当該半円状部９２２に密着する。
【００４３】
さらにディスク９０を挿入すると、押出部材２８１が、突起２７３２を支点として下方に押し下げられる。この際、押出部材２８１が取り付けられた突起２７３３と連結部材２８４を介して接続されたばね２８２は、押出部材２８１の下方への移動に伴って伸張するとともに、連結部材２８４の棒状部２８４２が、板状体２７２２に沿って下方に押し下げられる。
そして、図７に示すように、ディスク９０がディスク保持部２７に収まるとともに、連結部材２８４の棒状部２８４２が、係止部材２８３の下端に嵌まり込み、ばね２８２の付勢力による押出部材２８１の上方への移動が係止され、ディスク９０がディスク保持部２７に完全に収納される。
【００４４】
ディスク９０がディスク保持部２７に収納された状態で、開口２６１を閉塞するように蓋部２６Ａを回動させると、蓋部２６Ａを閉めるにしたがって、ディスク収納部２６に設けられた解除部材２８６が、板状体２７２２と連結部材２８４の棒状部２８４１との間に入り込む。さらに、蓋部２６Ａを閉塞させ、ディスク保持部２７の開口２７４がディスク収納部２６の開口２６１にかかるようになると、解除部材２８６が板状体２７２２と棒状部２８４１との間の距離をさらに広げる。そして、板状体２７２２と棒状部２８４２との距離が、係止部材２８３の板状体２７２２からの突出量を越えると、係止部材２８３と棒状部２８４２との係合が解除され、ばね２８２の付勢力により連結部材２８４が、図７および図８における上方に引っ張られる。この際、ディスク９０は、ディスク収納部２６に収まっているため、ディスク９０は、ディスク保持部２７から突出しない。この状態で、蓋部２６Ａを完全に閉塞すると、ディスク９０がディスク収納部２６内に完全に収納される。
【００４５】
また、ディスク９０がディスク収納部２６に収納された状態で、イジェクトスイッチ２３が操作され、蓋部２６Ａが開放されると、係止部材２８３と連結部材２８４の棒状部２８４２との係合が既に解除されているので、当該蓋部２６Ａの開放に伴ってディスク保持部２７の開口２７４が露出した時点で、図８に示すように、ディスク９０が当該ディスク保持部２７から排出される。これにより、ディスク９０の取り出しを容易に行うことができる。
【００４６】
（５）本実施形態の効果
以上のような本実施形態のディスク装置１によれば、以下の効果を奏することができる。
すなわち、ディスク９０のディスク保持部２７への挿入時に、ディスク９０の形状に応じて押出部材２８１が撓んで、当該ディスク９０に密着するので、当該押出部材２８１が、ディスク９０に挿入方向とは反対方向の押出力をディスク９０に確実に作用させることができる。
また、押出部材２８１がばね２８２からの付勢力を受けて、ディスク９０を排出するので、イジェクトレバー等を用いてディスク９０を排出する場合に比べ、ディスク排出機構２８の構成を簡略化することができる。
【００４７】
さらに、係止部材２８３が、ばね２８２の付勢力に抗するように、当該ばね２８２および突起２７３３を連結する連結部材２８４の棒状部２８４２と係合して、押出部材２８１のディスク排出方向への移動を係止する。このため、ディスク９０がディスク保持部２７から不要に押し出されることを防ぐことができる。
また、この係止部材２８３による押出部材２８１の係止は、解除部材２８６により解除される。このため、蓋部２６Ａの開放に伴って、ディスク保持部２７からディスク９０を確実に排出することができ、ディスク９０の取り出しを容易に行うことができる。
【００４８】
ディスク排出機構２８を構成する各部材のうち、押出部材２８１、付勢部材３２、係止部材２８３および連結部材２８４は、ディスク保持部２７に設けられている。これによれば、各部材２８１〜２８４が、蓋部２６Ａ側と筐体２側とに分散しないので、ディスク装置１の組立を簡略化することができる。
【００４９】
また、ディスク９０のディスク保持部２７への挿入方向先端縁には、半円状部９２２が形成され、当該半円状部９２２に押出部材２８１が当接される。これによれば、ディスク９０が角を有する矩形状に形成されている場合に比べ、押出部材２８１がディスク９０に対してより密着することとなるので、ディスク９０の押出を一層円滑に行うことができる。また、ディスクの角が押出部材２８１に当接することによる当該押出部材２８１の負荷を無くすことができる。
【００５０】
さらに、ディスク９０は、ディスク本体９１とカートリッジ９２とを備えた構成とされているので、押出部材２８１は、カートリッジ９２に当接する。これによれば、ディスク本体９１に対して、押出部材２８１が直接干渉することがない。従って、ディスク装置１がディスク９０から情報の読取や、当該ディスク９０への情報の記録を行っている際に、押出部材２８１がディスク本体９１の回転を妨げないようにすることができる。
【００５１】
（６）実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００５２】
前記実施形態では、電子機器として携帯可能なゲーム機であるディスク装置１を例示したが、本発明はこれに限るものではない。すなわち、ディスクを収納する筐体を有するディスク収納体であれば問わない。例えば、ディスク９０を収納するケースでもよく、また、他の構成のディスク装置でもよい。
【００５３】
前記実施形態では、開口２６１を開閉する蓋部２６Ａを有する筐体２を備えたディスク装置１を例示したが、本発明はこれに限らない。例えば、装置本体に形成された開口に直接ディスクを挿入する、いわゆるスロットインタイプのディスク装置に、本発明を採用してもよい。また、ディスク装置に限らず、スロットインタイプのディスク収納ケースにも本発明を採用することも可能である。
【００５４】
前記実施形態では、付勢部材としてばね２８２を採用したが、本発明はこれに限らない。すなわち、押出部材２８１に対して、ディスク９０の挿入方向とは反対方向に付勢力を付加する構成のものであれば他の構成でもよい。このような付勢部材として、例えば、ゴム等の弾性部材を採用してもよい。また、ばね２８２は、引張ばねを採用したが、圧縮ばねを採用してもよい。この場合、当該圧縮ばねと係止部材との位置を逆にするように配置すればよい。
【００５５】
前記実施形態では、係止部材２８３および解除部材２８６は、それぞれディスク保持部２７およびディスク収納部２６に突設された部材として構成したが、本発明はこれに限らない。例えば、係止部材および解除部材として、押出部材２８１に対してディスク９０の挿入方向の押力が加わるごとに、当該ディスク９０の挿入方向とは反対方向の押出部材２８１の移動の係止および当該係止の解除を行うラチェットを採用することも可能である。また、解除部材を、イジェクトスイッチ２３の操作に応答して、係止部材２８３と連結部材２８４の棒状部２８４２との係合を解除するレバーにより構成することも可能である。
【００５６】
前記実施形態では、ディスク９０は、ディスク保持部２７への挿入方向先端縁が略半円形状を有し、全体として盾型形状を有するとしたが、本発明はこれに限らず、平面視略円形状のディスクでも、平面視略矩形状のディスクでもよい。なお、ディスク保持部２７への挿入方向先端縁が略半円形状を有するディスクとすれば、押出部材２８１が当該半円形状部分に当接した際に、当該半円形状部分に倣うように当接するので、ディスク９０の押し出しを円滑に行うことができるほか、ディスクの角部等による押出部材２８１の負荷を抑えることを防ぐことができる。
【００５７】
前記実施形態では、ディスク９０は、情報が記録されたディスク本体９１と、当該ディスク本体９１を収納するカートリッジ９２を備えて構成されるとしたが、本発明はこれに限らない。すなわち、情報の記録面が全面に亘って露出したディスクを採用してもよい。この場合、本発明のディスク収納体を備えた電子機器に当該ディスクを挿入する場合には、ディスクの回転を妨げないように、当該ディスクの回転中には、押出部材がディスクの先端縁には接触しないように構成すればよい。
【産業上の利用可能性】
【００５８】
本発明は、ディスクの再生／記録が可能な電子器機に利用できる他、ディスクを収納するケース等のディスク収納体にも好適に利用することができる。
【図面の簡単な説明】
【００５９】
【図１】本発明の一実施形態に係るディスク装置を正面側から見た斜視図。
【図２】前記実施形態におけるディスク装置を背面側から見た斜視図。
【図３】前記実施形態におけるディスク装置を背面側から見た斜視図。
【図４】前記実施形態におけるディスクを示す平面図。
【図５】前記実施形態におけるディスク保持部を示す模式図。
【図６】前記実施形態におけるディスク収納部の断面を示す模式図。
【図７】前記実施形態におけるディスクが保持された状態のディスク保持部を示す模式図。
【図８】前記実施形態におけるディスクが排出された状態のディスク保持部を示す模式図。
【符号の説明】
【００６０】
１…ディスク装置（電子機器）、２…筐体（ディスク収納体）、２７…ディスク保持部、２８…ディスク排出機構、９０…ディスク、９１…ディスク本体、９２…カートリッジ、２６１…開口、２６Ａ…蓋部、２８１…押出部材、２８２…ばね（付勢部材）、２８３…係止部材、２８６…解除部材。
【図１】
2007220263.tif 000003
【図２】
2007220263.tif 000004
【図３】
2007220263.tif 000005
【図４】
2007220263.tif 000006
【図５】
2007220263.tif 000007
【図６】
2007220263.tif 000008
【図７】
2007220263.tif 000009
【図８】
2007220263.tif 000010